(57)【要約】【課題】シリカゲルの交換に要する手間や人件費を削減する。【解決手段】吸湿呼吸器本体に対し、空気の流出入を必要とする電気機器の空気流出入口と連通する第１の空気流出入口と、前記第１の空気流出入口が空気流入口となる場合は空気流出口となり、前記第１の空気流出入口が空気流出口となる場合は空気流入口となる第２の空気流出入口と、前記第１の空気流出入口と前記第２の空気流出入口との間の空気流出入路に介在し、前記空気流出入路を通過する空気の吸湿を行う吸湿剤と、前記吸湿剤の除湿を行うための所定値以下の湿度を有する空気が流入する乾燥空気流入口と、を備えた。【選択図】図１
2008118039.tif 000002
【特許請求の範囲】
【請求項１】
吸湿呼吸器本体に対し、
空気の流出入を必要とする電気機器の空気流出入口と連通する第１の空気流出入口と、
前記第１の空気流出入口が空気流入口となる場合は空気流出口となり、前記第１の空気流出入口が空気流出口となる場合は空気流入口となる第２の空気流出入口と、
前記第１の空気流出入口と前記第２の空気流出入口との間の空気流出入路に介在し、前記空気流出入路を通過する空気の吸湿を行う吸湿剤と、
前記吸湿剤の除湿を行うための所定値以下の湿度を有する空気が流入する乾燥空気流入口と、
を備えたことを特徴とする吸湿呼吸器。
【請求項２】
前記所定値以下の湿度を有する空気は、前記第１の空気流出入口が空気流入口となる場合は前記第２の空気流出入口から流出され、且つ、前記第１の空気流出入口が空気流出口となる場合は前記第１の空気流出入口から流出される、流入圧力を有することを特徴とする請求項１に記載の吸湿呼吸器。
【請求項３】
前記所定値以下の湿度を有する空気は、前記乾燥空気流入口へ常時流入することを特徴とする請求項２に記載の吸湿呼吸器。
【請求項４】
前記第１の空気流出入口と前記乾燥空気流入口の間を前記第２の空気流出入口へ向かって一部仕切る仕切版、を更に備えたことを特徴とする請求項２又は３に記載の吸湿呼吸器。
【請求項５】
前記所定値以下の湿度を有する空気が前記乾燥空気流入口へ流入する第１のモードと、前記所定値以下の湿度を有する空気が前記乾燥空気流入口へ流入しない第２のモードと、の何れか一方のモードとなることを特徴とする請求項１に記載の吸湿呼吸器。
【請求項６】
前記所定値以下の湿度を有する空気が第１の流量で前記乾燥空気流入口へ流入する第１のモードと、前記所定値以下の湿度を有する空気が第２の流量（＜第１の流量）で前記乾燥空気流入口へ流入する第２のモードと、の何れか一方のモードとなることを特徴とする請求項１に記載の吸湿呼吸器。
【請求項７】
前記吸湿剤の湿度に応じて、前記第１のモード又は前記第２のモードの何れか一方のモードとなることを特徴とする請求項５又は６に記載の吸湿呼吸器。
【請求項８】
前記第２の空気流出入口に対して空気が流出入する場合、前記第２の空気流出入口を前記空気の流出入圧力を受けて開放し、且つ、前記第２の空気流出入口に対して空気が流出入しない場合、前記第２の空気流出入口を閉塞する防湿液と、
前記防湿液を介して前記第２の空気流出入口と外部との間を開放又は閉塞するべく、前記防湿液を保持する保持容器と、
前記所定値以下の湿度を有する空気を流出する乾燥空気流出口と、
前記第１のモードである場合、前記第２の空気流出入口への空気の流入を禁止するとともに前記乾燥空気流出口への空気の流入を許可し、前記第２のモードである場合、前記第２の空気流出入口への空気の流入を許可するとともに前記乾燥空気流出口への空気の流入を禁止する切替器と、
を更に備えたことを特徴とする請求項５乃至７の何れかに記載の吸湿呼吸器。
【請求項９】
前記吸湿剤は、吸湿機能を有する複数の粒からなることを特徴とする請求項１乃至８の何れかに記載の吸湿呼吸器。
【請求項１０】
前記吸湿剤の取り込み又は取り出しを行うための吸湿剤出入口と、
前記吸湿剤出入口を閉塞するための蓋と、
を更に備えたことを特徴とする請求項９に記載の吸湿呼吸器。
【請求項１１】
前記所定値以下の湿度を有する空気は、コンプレッサから供給されることを特徴とする請求項１乃至１０の何れかに記載の吸湿呼吸器。
【請求項１２】
前記電気機器は、
変圧器本体と、前記変圧器本体及び当該変圧器本体の周囲を覆う絶縁油を収容する筐体と、前記空気流出入口を有し、前記変圧器本体の動作に伴う前記絶縁油の膨張に応じて前記空気流出入口から空気を流出し、前記絶縁油の収縮に応じて前記空気流出入口に空気を流入するべく前記筐体と連通する空気室と、を備えた油入変圧器である、ことを特徴とする請求項１乃至１１の何れかに記載の吸湿呼吸器。
【発明の詳細な説明】
【技術分野】
【０００１】
本発明は、吸湿呼吸器に関する。
【背景技術】
【０００２】
吸湿呼吸器は、空気流出入口を有し空気の流出入が行われる電気機器に取り付けられ、電気機器に流出入する空気の吸湿を行うものである。吸湿呼吸器は、吸湿機能を有する吸湿剤（例えばシリカゲル）を充填する収納容器、及び当該収納容器の一方側及び他方側に、相補的に空気流入口及び空気流出口となる２つの空気流出入口を有している。そして、一方側の空気流出入口は、前記電気機器の空気流出入口と連通している。以上の構成により、吸湿呼吸器は、前記電気機器の空気の流出入時に、空気の吸湿を行うことになる。吸湿呼吸器が取り付けられる電気機器としては、例えば変電所おいて、油（絶縁油）を変圧器本体の絶縁と冷却のための媒体として用いた油入変圧器がある。
【０００３】
油入変圧器の絶縁油は、変圧器本体で発生する熱や外気温度に応じて、膨張又は収縮する。そこで、油入変圧器は、絶縁油の膨張・収縮による体積変化を、空気の流出・流入によって吸収するコンサベータが備えられている。コンサベータには、空気と絶縁油とが接触する開放型のものと、例えばゴム製の袋や膜（以下ゴム膜とする）を使って空気と絶縁油とを遮断する遮断型のものがある。開放型のコンサベータの場合、絶縁油と空気中の水分との接触によって、絶縁油の劣化の恐れがある。また、遮断型のコンサベータの場合、ゴム膜と空気中の水分との接触によって、ゴム膜の劣化の恐れがある。
【０００４】
そこで、吸湿呼吸器は、これらのコンサベータに流入する空気の吸湿を行っている（例えば、特許文献１参照）。
【０００５】
図１２は従来の吸湿呼吸器の構成の一例を説明するための図である。図１２に示す吸湿呼吸器１１０は、主として、配管接続フランジ１１２、収納容器１１４、空気案内板１２０、空気案内筒１２１、油容器１２２、油用覗き窓１２６、吸湿剤取込口１３０、吸湿剤取出口１３２、吸湿剤用覗き窓１３４、蓋１３１、１３３を有している。
【０００６】
収納容器１１４は、シリカゲル１１６を収納するための、例えば円筒形状の容器である。シリカゲル１１６は、収納容器１１４のＵ面と、Ｂ面と、その側面とで囲まれた中に収納される。
【０００７】
シリカゲル１１６は、複数の粒からなり、空気の吸湿を行う吸湿機能を有している。シリカゲル１１６は、吸湿を行うのに伴い青色から薄桃色へと次第に変化していく（この変化の過程を劣化と称する）。そして、シリカゲル１１６は、当該シリカゲル１１６の重量に対して約３０％の水分を吸湿すると、薄桃色になり、それ以上吸湿を行わなくなる（この状態を寿命と称する）。シリカゲル１１６が寿命になると、新しいものと交換する必要がある。そこで、収納容器１１４には、後述するように当該収納容器１１４からシリカゲル１１６の取り出しを行う吸湿剤取出口１３２と、当該収納容器１１４にシリカゲル１１６を取り込む吸湿剤取込口１３０とが備えられている。また、寿命になったシリカゲル１１６は、例えばヒーターなどで加熱することによって、吸湿した水分が除湿されると、再度、空気の吸湿を行うことができるようになる（例えば、特許文献２参照）。このことをシリカゲル１１６の再生という。
【０００８】
配管接続フランジ１１２は、収納容器１１４の＋ｚ側の面Ｕに設けられ、不図示の電気機器の配管との接続を行なうものである。この接続によって、吸湿呼吸器１１０の空気流出入口１１１と、不図示の電気機器の空気流出入口とが連通することになる。
【０００９】
吸湿剤取込口１３０は、収納容器１１４にシリカゲル１１６を取り込むためのものであり、収納容器１１４の面Ｕの一部に設けられている。
【００１０】
蓋１３１は、吸湿剤取込口１３０を閉塞するものであるとともに、開放することによって吸湿剤取込口１３０からシリカゲル１１６の取り込みを可能とするものである。
【００１１】
通気孔１１７は、収納容器１１４においてシリカゲル１１６が収納される部分の−ｚ側の面Ｂに、シリカゲル１１６の直径よりも小さい直径で複数設けられている。なお、面Ｂは、ｘ方向が＋側になるのに伴い（吸湿剤取出口１３２に向かうほど）ｚ方向が−側（鉛直方向側）となるべく傾斜して設けられている。
【００１２】
吸湿剤取出口１３２は、収納容器１１４からシリカゲル１１６を取り出すためのものである。
【００１３】
蓋１３３は、吸湿剤取出口１３２を閉塞するものであるとともに、開放することによって吸湿剤取出口１３２からシリカゲル１１６の取り出しを可能とするものである。蓋１３３を吸湿剤取出口１３２から開放すると、シリカゲル１１６は、面Ｂが傾斜していることにより、自重によって吸湿剤取出口１３２に向かって移動することになる。よって、収納容器１１４からシリカゲル１１６を取り出すことができる。
【００１４】
吸湿剤用覗き窓１３４は、シリカゲル１１６の劣化の状態（色）を目視で確認するため透明の素材（例えばガラス）で形成されたものであり、収納容器１１４の面Ｕと面Ｂの間の側面の一部に設けられている。
【００１５】
空気案内板１２０は、収納容器１１４の面Ｂよりも−ｚ側に配設された円盤形状のものであり、中央部分に空気の流出入を行う開口を有している。
【００１６】
空気案内筒１２１は、空気案内板１２０の開口に沿って−ｚ方向に配設されている。
【００１７】
油容器１２２は、シリカゲル１１６を外部の空気と閉塞するための隔離油１２４を保持する透明（例えばガラス）の容器であり、空気案内板１２０と図中ｃで固着されている。なお、油容器１２２と空気案内板１２０とが固着されていない箇所には通気口１２８が形成されている。また、隔離油１２４は、空気案内筒１２１の下端（−ｚ側）が浸かる程度の高さまで油容器１２２に充填されている。
【００１８】
油用覗き窓１２６は、隔離油１２４の量や状態を目視で確認するためのものであり、透明の素材で形成されている。
【００１９】
以下、図１３を参照しつつ、吸湿呼吸器１１０を、油入変圧器に取り付けた場合について説明する。図１３は、油入変圧器に吸湿呼吸器１１０を取り付けた一例を説明するための図である。なお、図１３（ａ）は遮断型のコンサベータの場合を示す図であり、図１３（ｂ）は、開放型のコンサベータの場合を示す図である。また、図１３（ａ）と図１３（ｂ）において同一構成の部分には同一符号を付し説明を省略する。まず、図１３（ａ）に示す遮断型のコンサベータの場合について説明する。
【００２０】
変圧器本体１００は、筐体１０２に収容されるとともに、筐体１０２には絶縁油１０１が充填されている。
【００２１】
コンサベータ１０４は、空気流出入口１０９を有し、筐体１０２の変圧器本体１００の動作に伴う絶縁油の膨張又は収縮に応じて空気流出入口１０９から空気の流出入を行うべく、連結管１０３を介して筐体１０２と連通している。なお、絶縁油１０１は、コンサベータ１０４の略中間の高さ（図１３のｈ）となるまで充填されている。
【００２２】
ゴム膜１０５は、絶縁油１０１の層（以下絶縁油層とする）と空気の層（以下空気層とする）とを遮断するためのものである。ゴム膜１０５には、柔軟で対油性のあるものが使用される。なお、ゴム膜１０５は、コンサベータ１０４の内周に沿って当該コンサベータ１０４と固着されており、固着されていない部分は、空気層の圧力と絶縁油層の圧力に応じて昇降可能となっている。図１３（ａ）の場合、空気層の圧力と絶縁油層の圧力とは、ｈの高さで釣り合っていることになる。
【００２３】
空気流出入口１０９は、連結管１０８を介して吸湿呼吸器１１０の空気流出入口１１１と連通している。
【００２４】
次に、図１２、１３（ａ）を参照しつつ空気の流出入の動作について説明する。油入変圧器１０２の絶縁油１０１が収縮する場合、ゴム膜１０５の高さがｈの位置より下降する。このｈの変化量に応じて、吸湿呼吸器１１０、連結管１０８を通して、コンサベータ１０４に空気が流入することになる。このときの、吸湿呼吸器１１０における空気の流路を図１２に実線の矢印で示す。すなわち、通気口１２８から流入した空気は、油容器１２２内の隔離油１２４、空気案内筒１２１、収納容器１１４の面Ｂの通気孔１１７を介して、収納容器１１４に流入され、シリカゲル１１６によって吸湿される。吸湿された空気は、収納容器１１４の面Ｕの空気流出入口１１１からコンサベータ１０４の空気流出入口１０９へと流出される。
【００２５】
一方、油入変圧器１０２の絶縁油１０１が膨張する場合、ｈの位置が上昇する。このｈの変化量に応じて、空気層の一部の空気がコンサベータ１０４から追い出され、連結管１０８、吸湿呼吸器１１０を通して流出される。このときの吸湿呼吸器１１０における空気の流路を、図１２に破線の矢印で示す。コンサベータ１０４から流出された空気は、連結管１０８を通して吸湿呼吸器１１０の空気流出入口１１１に流入し、シリカゲル１１６を通過して通気孔１１７から流出される。そして、空気案内筒１２１、隔離油１２４、通気口１２８を介して外部に流出される。つまり、空気が流入する場合と逆の流路で、空気が流出されることになる。
【００２６】
図１３（ｂ）に示す開放型のコンサベータ１０６の場合は、コンサベータ１０６内で空気層と絶縁油層が直接接触している。吸湿呼吸器１１０を設けた場合の空気の流出入の動作は、図１３（ａ）のコンサベータ１０４の場合と同じである。よって、説明を省略する。
【特許文献１】特開平１０−１６５７４９号公報
【特許文献２】特開平１０−１６５７５０号公報
【発明の開示】
【発明が解決しようとする課題】
【００２７】
吸湿呼吸器１１０の外部から通気口１２８を通して通気孔１１７に流入する空気は、所定値より高い湿度を有する空気（以下、乾燥していない空気と称する）となる場合がある。従来の吸湿呼吸器１１０では、このように乾燥していない空気の吸湿を行う場合があるとともに、シリカゲル１１６の除湿をしていないため、シリカゲル１１６が寿命となるまでの期間が短かった（例えば６ヶ月程度）。このことにより、シリカゲル１１６を交換する手間や人件費がかかるという問題点があった。
【００２８】
また、シリカゲル１１６が劣化するのに伴い、十分に吸湿されていない空気をコンサベータ１０４又はコンサベータ１０６に供給してしまうこととなり、絶縁油１０１やゴム膜１０５が劣化する恐れがあった。また、寿命となったシリカゲル１１６を、吸湿呼吸器１０から取り出して、例えばヒーターによって加熱して再生することは、手間がかかり経済的でないという問題点があった。
【００２９】
本発明はかかる課題に鑑みてなされたものであり、その目的とするところは、吸湿剤の寿命を従来よりも延ばすことができ、吸湿剤の交換に要する手間や人件費を削減することができる吸湿呼吸器を提供することにある。
【課題を解決するための手段】
【００３０】
前記課題を解決するための発明は、吸湿呼吸器本体に対し、空気の流出入を必要とする電気機器の空気流出入口と連通する第１の空気流出入口と、前記第１の空気流出入口が空気流入口となる場合は空気流出口となり、前記第１の空気流出入口が空気流出口となる場合は空気流入口となる第２の空気流出入口と、前記第１の空気流出入口と前記第２の空気流出入口との間の空気流出入路に介在し、前記空気流出入路を通過する空気の吸湿を行う吸湿剤と、前記吸湿剤の除湿を行うための所定値以下の湿度を有する空気が流入する乾燥空気流入口と、を備えたことを特徴とする。乾燥空気流入口から乾燥空気を流入することにより、吸湿剤が吸湿する水分を従来よりも少なくすることができる。よって吸湿剤の寿命を従来よりも延ばすことができ、吸湿剤の交換に要する手間や人件費を削減することができる。
【００３１】
また、かかる吸湿呼吸器において、前記所定値以下の湿度を有する空気は、前記第１の空気流出入口が空気流入口となる場合は前記第２の空気流出入口から流出され、且つ、前記第１の空気流出入口が空気流出口となる場合は前記第１の空気流出入口から流出される、流入圧力を有していてもよい。電気機器の空気の流出入に応じて、吸湿呼吸器内の乾燥空気の流路を切り替えることができる。
【００３２】
さらに、かかる吸湿呼吸器において、前記所定値以下の湿度を有する空気は、前記乾燥空気流入口へ常時流入することが好ましい。乾燥空気を常時流入しておくことによって、乾燥していない空気が外部から吸湿呼吸器に流入することを防止できる。
【００３３】
さらに、かかる吸湿呼吸器において、前記第１の空気流出入口と前記乾燥空気流入口の間を前記第２の空気流出入口へ向かって一部仕切る仕切版、を更に備えることが好ましい。仕切版を設けることによって、吸湿呼吸器内の乾燥空気の流路が長くなり、より乾燥した空気を電気機器へ流出することができる。また、吸湿剤をより乾燥させることができる。
【００３４】
また、かかる吸湿呼吸器において、前記所定値以下の湿度を有する空気が前記乾燥空気流入口へ流入する第１のモードと、前記所定値以下の湿度を有する空気が前記乾燥空気流入口へ流入しない第２のモードと、の何れか一方のモードとなるようにしてもよい。モードの切り替えにより吸湿剤の再生を吸湿呼吸器で行うことができ、さらに第２のモードでは乾燥空気を流入しないので、経済的である。
【００３５】
また、かかる吸湿呼吸器において、前記所定値以下の湿度を有する空気が第１の流量で前記乾燥空気流入口へ流入する第１のモードと、前記所定値以下の湿度を有する空気が第２の流量（＜第１の流量）で前記乾燥空気流入口へ流入する第２のモードと、の何れか一方のモードとなるようにしてもよい。第２のモードでも第２の流量の乾燥空気を流入するので、吸湿剤の劣化を遅らせることができる。
【００３６】
さらに、かかる吸湿呼吸器において、前記吸湿剤の湿度に応じて、前記第１のモード又は前記第２のモードの何れか一方のモードとなることが好ましい。例えば湿度センサーで吸湿剤の湿度を検出することによって、自動的にモードを切り替えることができる。
【００３７】
さらに、かかる吸湿呼吸器において、前記第２の空気流出入口に対して空気が流出入する場合、前記第２の空気流出入口を前記空気の流出入圧力を受けて開放し、且つ、前記第２の空気流出入口に対して空気が流出入しない場合、前記第２の空気流出入口を閉塞する防湿液と、前記防湿液を介して前記第２の空気流出入口と外部との間を開放又は閉塞するべく、前記防湿液を保持する保持容器と、前記所定値以下の湿度を有する空気を流出する乾燥空気流出口と、前記第１のモードである場合、前記第２の空気流出入口への空気の流入を禁止するとともに前記乾燥空気流出口への空気の流入を許可し、前記第２のモードである場合、前記第２の空気流出入口への空気の流入を許可するとともに前記乾燥空気流出口への空気の流入を禁止する切替器と、を更に備えたことが好ましい。第１のモードでは、防湿液を介さずに乾燥空気が流出するので、第２のモードよりも乾燥空気の流量を増加することができ、防湿剤の再生を効果的に行うことができる。
【００３８】
また、かかる吸湿呼吸器において、前記吸湿剤は、吸湿機能を有する複数の粒からなることが好ましい。吸湿剤が単体である場合に比べて、表面積が大きくなり、吸湿量を増大することができる。また、吸湿呼吸器の側面下部に傾斜して取り出し口を設けると、あるいは、吸湿呼吸器の下面に取り出し口を設けると、吸湿剤が粒であることにより、自重で吸湿剤が落下することになるので、吸湿呼吸器から吸湿剤を容易に取り出すことができる。
【００３９】
また、かかる吸湿呼吸器において、前記吸湿剤の取り込み又は取り出しを行うための吸湿剤出入口と、前記吸湿剤出入口を閉塞するための蓋と、を更に備えたことが好ましい。吸湿剤の吸湿機能の劣化によって、吸湿剤を新しいもの、あるいは再生したものと交換することができる。
【００４０】
また、かかる吸湿呼吸器において、前記所定値以下の湿度を有する空気は、コンプレッサから供給されることが好ましい。例えば変電所において、圧縮空気を利用する装置（開閉器など）に圧縮空気を供給するため設置されているコンプレッサから、乾燥空気を流入することができる。よって、装置を増設することなく乾燥空気を得ることができる。
【００４１】
また、かかる吸湿呼吸器において、前記電気機器は、変圧器本体と、前記変圧器本体及び当該変圧器本体の周囲を覆う絶縁油を収容する筐体と、前記空気流出入口を有し、前記変圧器本体の動作に伴う前記絶縁油の膨張に応じて前記空気流出入口から空気を流出し、前記絶縁油の収縮に応じて前記空気流出入口に空気を流入するべく前記筐体と連通する空気室と、を備えた油入変圧器である、ことが好ましい。絶縁油の膨張又は収縮に応じて、空気の流出入の動作を行う油入変圧器において、例えば絶縁油の劣化を効果的に防止することができる。
【発明の効果】
【００４２】
本発明によれば、吸湿剤の寿命を従来よりも延ばすことができ、吸湿剤の交換に要する手間や人件費を削減することができる。
【発明を実施するための最良の形態】
【００４３】
本明細書及び添付図面の記載により、少なくとも以下の事項が明らかとなる。
【００４４】
＝＝＝第１実施形態＝＝＝
＜全体構成＞
図２は本発明の第１実施形態に係る吸湿呼吸器１０を用いた全体構成の一例を示す図である。なお、吸湿呼吸器１０は、油入変圧器に設けられることとする。また、図２において図１３（ａ）と同一構成の部分には同一符号を付している。
【００４５】
図２に示すように本発明の第１実施形態に係る吸湿呼吸器１０を用いた全体構成は、主として、吸湿呼吸器１０と、空気圧縮装置２００と、連結管１０３、１０８、コンサベータ１０４（空気室）、筐体１０２によって構成されている。
【００４６】
筐体１０２は、変圧器本体１００及び、当該変圧器本体１００の周囲を覆う絶縁油を収容している。
【００４７】
コンサベータ１０４は、空気流出入口１０９を有し、筐体１０２の変圧器本体１００の動作に伴う絶縁油の膨張又は収縮に応じて空気流出入口１０９から空気の流出入を行うべく、連結管１０３を介して筐体１０２と連通している。またコンサベータ１０４の空気流出入口１０９は連結管１０８を介して、後述する吸湿呼吸器１０の空気流出入口１１１と連通している。
【００４８】
吸湿呼吸器１０は、内部にシリカゲル１１６（吸湿剤）を収納しており、流入した空気を吸湿して流出する。なお本発明の吸湿呼吸器１０は、後述する空気圧縮装置２００から、配管２２０を通して、後述する流入圧力で常時空気を流入している。
【００４９】
空気圧縮装置２００は、空気を圧縮することによって高圧の圧縮空気を発生する。また、空気圧縮装置２００は、この圧縮に基づいて得られる、所定値（例えば１９％）以下の湿度を有する空気（以下乾燥空気とする）を、配管２２０を通して吸湿呼吸器１０に供給する。なお、この乾燥空気は、例えば絶縁油１０１やゴム膜１０５を、ほとんど劣化させることがなく、さらに、シリカゲル１１６の除湿を行うことが可能な湿度の空気である。
【００５０】
＜空気圧縮装置の構成＞
空気圧縮装置２００は、例えば変電所において空気操作式の機器（例えば開閉器、遮断器）に用いられる圧縮空気を発生する周知の構成の装置である。空気圧縮装置２００は、エアフィルタ２０２、吸気管２０４、空気圧縮機２０６（コンプレッサ）、吐出管２０８、モータ２１０、空気タンク２１２、ドレン弁２１４、流量調整弁２１６、配管２２０を有している。
【００５１】
エアフィルタ２０２は、空気中の塵埃を除去して吸気管２０４に供給する。
【００５２】
モータ２１０は、空気圧縮装置２００を駆動する動力源である。
【００５３】
空気圧縮機２０６は、モータ２１０によって駆動し、エアフィルタ２０２、吸気管２０４を通して取り入れた空気を圧縮して高圧の圧縮空気を作り、吐出管２０８に吐出する。空気圧縮機２０６の圧縮方式としては、往復式（例えばピストン式）のものと、回転式（例えばスクリュー式）のものとがあるが、本発明の吸湿呼吸器１０には、何れの方式でも使用することができる。
【００５４】
空気タンク２１２は、吐出管２０８から吐出された圧縮空気を、一時的に蓄えておくものである。なお、空気は圧縮されると高温になり、多くの水分を含んでいる、この圧縮空気が吐出管２０８や空気タンク２１２などで自然冷却されると、含みきれなくなった水分が水滴となり、空気圧縮機２０６から生じた潤滑油や金属粉などと混じってドレンと呼ばれる不純物が発生する（この原理については後述する）。ドレンは、空気タンク２１２の底に貯まる。
【００５５】
ドレン弁２１４は、空気タンク２１２の底に貯まったドレンを空気タンク２１２から放出するための弁である。
【００５６】
流量調整弁２１６は、空気タンク２１２から流出する圧縮空気を減圧するとともに、配管２２０に流れる空気の流量を調節する。
【００５７】
次に空気圧縮装置２００の動作について説明する。  
空気圧縮装置２００をモータ２１０によって駆動すると、エアフィルタ２０２、吸気管２０４を通して、空気圧縮機２０６に空気が取り込まれる。この空気は、空気圧縮機２０６で圧縮され高圧の圧縮空気となる。
【００５８】
空気圧縮機２０６から吐出された圧縮空気は、吐出管２０８を通って空気タンク２１２に取り込まれる。なお、空気タンク２１２において、圧縮空気の凝縮によりドレンが発生し、空気タンク２１２の底に貯まる。このドレンは、ドレン弁２１４から、例えば定期的に空気タンク２１２の外部に放出される。
【００５９】
また、空気タンク２１２内の圧縮空気は、流量調整弁２１６の調整によって、減圧されて、配管２２０に流出される。この配管２２０に流出される空気は、乾燥空気となっている。
【００６０】
図５は、乾燥空気の発生の原理を説明するための図である。なお、図５の横軸は温度であり、縦軸は絶対湿度〔空気１ｋｇに含まれる水蒸気の量（ｋｇ）〕である。  
また、図５の実線は大気圧下の飽和線であり、破線は  加圧下の飽和線である。このように、空気が含むことのできる最大水分量（飽和水蒸気量）は、空気の温度が同じであれば、圧力にほぼ反比例して低下する。
【００６１】
大気圧下で絶対湿度ｘ１、温度ｔ１の空気（状態Ａ）の空気を空気圧縮機２０６によって加圧し、空気タンク２１２において、そのままの圧力で圧縮前と同じ温度ｔ１まで冷却したとすると加圧下の飽和線のＢの状態となる。すなわちｘ１―ｘ２の水分が除湿されたことになる。このように、高温の圧縮空気が、吐出管２０８又は空気タンク２１２で自然冷却されると、含みきれなくなった水分が凝縮して現れることになる。なお、ｔ２は、加圧下のＢの状態から空気圧に膨張した後の露点（冷却したときに凝縮がおこるときの温度）である。
【００６２】
よって、空気圧縮装置２００から、配管２２０に流出される空気は、例えばｘ１―ｘ２の水分が除湿された乾燥空気となっている。
【００６３】
＜吸湿呼吸器の構成＞
図１および図２を参照しつつ、本発明の第１実施形態にかかる吸湿呼吸器１０の構成について説明する。図１は、本発明の第１実施形態にかかる吸湿呼吸器１０の一例を示す断面図である。なお、図１、図２において、図１２と同一構成の部分には同一符号を付し説明を省略する。
【００６４】
図２に示すように、吸湿呼吸器１０は、配管接続フランジ１１２で連結管１０８と接続されている。このことにより、コンサベータ１０４の空気流出入口１０９と吸湿呼吸器１０の空気流出入口１１１とが連通している。そして、吸湿呼吸器１０は、油入変圧器１０２の絶縁油１０１の膨張又は収縮に応じて、コンサベータ１０４の空気流出入口１０９に空気の流出入を行うことになる。なお、収納容器１１４は、吸湿呼吸器１０の本体（吸湿呼吸器本体）を構成している。
【００６５】
また、吸湿呼吸器１０は、図１２の蓋１３１及び吸湿剤取込口１３０の代わりに、蓋１２及び吸湿剤取込口１３（乾燥空気流入口）を有している。さらに、吸湿呼吸器１０は、仕切版１４を有している。なお、本実施形態では吸湿呼吸器１０は仕切版１４を有することとしているが、仕切版１４を有していなくてもよい。
【００６６】
蓋１２は、吸湿剤取込口１３を閉塞するとともに、開放することによって吸湿剤取込口１３から収納容器１１４へのシリカゲル１１６の取り込みを可能とするものである。なお、本発明の吸湿呼吸器１０の蓋１２には空気圧縮装置２００の配管２２０が貫通されている。
【００６７】
吸湿剤取込口１３は、収納容器１１４にシリカゲル１１６を取り込む取込口であるとともに、配管２２０を通して、空気圧縮装置２００から乾燥空気が流入される乾燥空気の流入口となっている。なお、乾燥空気の流入口を、吸湿剤取込口１３と別個に設けてもよい。例えば収納容器１１４の側面に乾燥空気の流入口を設けるようにしてもよい。図１において、吸湿剤取込口１３及び吸湿剤取出口１３２は吸湿剤出入口を構成している。
【００６８】
仕切版１４は、収納容器１１４の面Ｕから通気孔１１７（第２の空気流出入口）の方に向かって設けられている。また、仕切版１１４と通気孔１１７との間には、吸湿剤取込口１３から、空気流出入口１１１（第１の空気流出入口）への空気の流れを可能とするための隙間が形成されている。  吸湿剤取込口１３から流入した乾燥空気は、この隙間を通過して、空気流出入口１１１から流出することになる。図３（ａ）、（ｂ）、（ｃ）は、本発明の吸湿呼吸器１０の仕切版１４の一例を説明するための断面図である。図３（ａ）、（ｂ）、（ｃ）は図１と異なる方向（ｚ方向）の断面を示している。図３（ｂ）の仕切版１４′には複数の開口１５ａが設けられている。また、図３（ｃ）の仕切版１４″には、図３（ｂ）の開口１５のうち、ｙ方向に隣接するもの同士を繋げた複数の開口１６が設けられている。
【００６９】
図３（ａ）のように仕切版１４を設けた場合には、吸湿剤取込口１３から流入した乾燥空気は、仕切版１１４と通気孔１１７との隙間を通過して、空気流出入口１１１から流出する。よって、乾燥空気の流路が長くなり、より乾燥した空気を空気流出入口１１１から流出することができる。
【００７０】
図３（ｂ）のように仕切版１４′を設けた場合には、吸湿剤取込口１３から流入した乾燥空気は、仕切版１１４と通気孔１１７との隙間又は開口１５を通過して空気流出入口１１１から流出する。よって、乾燥空気の流路が分岐するので、図３（ａ）の場合より、空気流出入口１１１に乾燥空気を早く到達させることができる。
【００７１】
図３（ｃ）のように仕切版１４″を設けた場合には、吸湿剤取込口１３から流入した乾燥空気は、仕切版１１４と通気孔１１７との隙間又は開口１６を通過して空気流出入口１１１から流出する。開口１６は開口１５よりも面積が大きいので、図３（ｂ）の場合に比べ、空気流出入口１１１に早く到達する乾燥空気の量を増やすことができる。
【００７２】
なお、本発明の吸湿呼吸器１０では、仕切版１４を設けていなくても、吸湿剤取込口１３から流入した乾燥空気をシリカゲル１１６によって吸湿してコンサベータ１０４へ流出することができる。仕切版１４を設けると、さらに吸湿効果を上げることができる。
【００７３】
＜吸湿呼吸器における空気の流路＞
図４を参照しつつ、本発明の吸湿呼吸器１０の空気の流路について説明する。図４は本発明の吸湿呼吸器１０における空気の流路を説明するための図である。
【００７４】
≪コンサベータに空気を流出する場合≫
図４（ａ）に示すように空気タンク２１２から流出された乾燥空気は、配管２２０を通して、吸湿呼吸器１０の吸湿剤取込口１３から収納容器１１４に流入される。そしてシリカゲル１１６で吸湿が行われ更に湿度の低い乾燥空気となり、コンサベータ１０４で必要な分だけが空気流出入口１１１から流出される。なお、図３（ｂ）、（ｃ）のように開口１５、１６を設けた場合には、同図の太線（破線）に示すように乾燥空気の流路が分岐することになる。コンサベータ１０４へと流出されなかった乾燥空気は、通気孔１１７、及び通気口１２８を通して外部に流出される。
【００７５】
図４（ｂ）は、空気が通気口１２８から流出することを説明するための図である。空気案内筒１２１の内部では実線の矢印方向の圧力が発生する。この圧力により、空気案内筒１２１近傍の隔離油１２４の液面が低下することになり、空気案内筒１２１の下端と隔離油１２４の液面との間に間隙が生じる。よって通気孔１１７と通気口１２８の間が開放されることになり、通気口１２８から空気が流出する。なお、通気孔１１７から空気が流出しない場合には、通気孔１１７は隔離油１２４によって外部と閉塞されている。
【００７６】
≪コンサベータから空気を流入する場合≫
図４（ｃ）に示すように空気タンク２１２から流出された乾燥空気は、配管２２０を通して吸湿剤取込口１３から収納容器１１４に流入される。また、コンサベータ１０４から流出された空気は、連結配管１０８、空気流出入口１１１を通して収納容器１１４に流入される。なお、図３（ｂ）、（ｃ）のように開口１５、１６を設けた場合には、図４の太線（破線）に示すように乾燥空気の流路が分岐する。これらはともにシリカゲル１１６、通気孔１１７、及び通気口１２８を通して外部に放出される。
【００７７】
なお、空気タンク２１２から配管２２０を通して流入される乾燥空気は、流量調整弁２１６によって所定の流入圧力となるべく調整されている。なお、この流入圧力は、図４（ａ）の場合において、空気流出入口１１１から空気を流出可能とするとともに、通気口１２８から外部の空気を収納容器１１４内に流入させず、さらに、図４（ｂ）の場合において、通気孔１１７から流出する空気の圧力によって隔離油１２４に気泡が発生しないように設定されたものである。
【００７８】
このように、本発明の吸湿呼吸器１０では、常時空気タンク２１２から乾燥空気を流入しているので、乾燥空気でシリカゲル１１６の除湿を行うことになる。よって、シリカゲル１１６の寿命を従来よりも長くすることができ、シリカゲル１１６の交換に要する手間や、人件費を抑えることができる。
【００７９】
また、空気圧縮装置２００が、例えば装置トラブルによって停止することにより、乾燥空気が流入されなくなった場合においても、従来と同様に、通気口１２８から流入した外部の空気を、通気孔１１７、シリカゲル１１６、空気流出入口１１１を通すことにより除湿を行い、コンサベータ１０４に流出することができる。
【００８０】
さらに、シリカゲル１１６が十分に吸湿出来ない状態まで劣化したとしても、乾燥空気をコンサベータ１０４に流出することができる。
【００８１】
＜シリカゲルの再生＞
寿命となったシリカゲル１１６は、空気圧縮装置２００から流出される乾燥空気を利用して再生することができる。
【００８２】
以下、図６、７、８を参照しつつ、シリカゲル１１６の再生について説明する。なお、図６は、シリカゲル１１６の再生に用いる容器の一例を示す図であり、図７は、吸湿呼吸器１０からシリカゲル１１６の取り出しを説明する図であり、図８は、シリカゲル１１６の再生方法の一例を説明するための図である。
【００８３】
図６に示す容器４００は、例えば底を切り抜いた２個のペットボトルを背中合わせにして、例えばテープ４０４で接合したものである。蓋４０６は容器４００の一端を閉塞するとともに、開放することによって容器４００の一端からのシリカゲル１１６の取り込み又は取り出しを可能とするものであり、蓋４０６は容器４００の他端を閉塞するとともに、開放することによって容器４００の他端からのシリカゲル１１６の取り込み又は取り出しを可能とするものである。
【００８４】
また、容器４１０は、例えばペットボトルの底に、シリカゲル１１６の単一粒の直径よりも小さい複数の通気孔４１４を設けたものである。蓋４１２は、容器４１０の一端を閉塞するものであるとともに、開放することによって容器４１０の一端からのシリカゲル１１６の取り込み又は取り出しを可能とするものである。
【００８５】
以上の構成の容器４００、４１０に、吸湿呼吸器１０から寿命のシリカゲル１１６を取り込む。図７に示すように吸湿剤取出口１３２の蓋１３３を外すと、シリカゲル１１６は、自重によって落下するので、吸湿剤取出口１３２から外部に放出される。このシリカゲル１１６を容器４００及び容器４１０に取り込み、容器４００、４１０に空気圧縮装置２００からの空気を流入するべく図８に示すように配管２２０、４２０と接続する。なお、蓋４２６には配管２２０が貫通されており、蓋４２８、４３２にはそれぞれ配管４２０が貫通されている。
【００８６】
そして、空気圧縮装置２００の流量調整弁２１６を調整することによって、シリカゲル１１６の除湿を行う流量（例えば４０リットル／分）の乾燥空気を流出させる。この流量の乾燥空気が容器４００、４１０内のシリカゲル１１６を通過して通気孔４１４から流出することになり、容器４００、４１０内のシリカゲル１１６は除湿されて再生することになる。なお、容器４００の蓋４２６、４２８を、それぞれ蓋４０６、４０８と取り替えることによって、容器４００は密閉されるので、容器４００をシリカゲル１１６の保存に使用することができる。
【００８７】
吸湿呼吸器１０に、再生したシリカゲル１１６、又は新しいシリカゲル１１６の取り込みを行う場合には、吸湿剤取込口１３の蓋１２を外して、当該吸湿剤取込口１３から取り込みを行うことになる。
【００８８】
＝＝＝第２実施形態＝＝＝
図９、１０、１１を参照しつつ、本発明の第２実施形態にかかる吸湿呼吸器の構成について説明する。図９は、本発明の第２実施形態にかかる吸湿呼吸器２０の構成を説明するための断面図である。図１０は、吸湿呼吸器２０の内部の構成の一部を説明するための斜視図である。図１１は、吸湿呼吸器２０におけるモードの切替を説明するための図である。なお、図９において図１と同一構成の部分には同一符号を付し説明を省略する。
【００８９】
吸湿呼吸器２０は、空気案内板２２、回動板２４（切替器）、回動板駆動装置２６、空気案内筒２８、油容器３０（保持容器）、湿度センサー４０を有している。また、吸湿呼吸器２０の外部には湿度検出装置４２、制御装置４４、流量調整弁制御装置４６が設けられている。
【００９０】
湿度センサー４０は、収納容器１１４内のシリカゲル１１６の湿度を測定するものである。  
湿度検出装置４２は、湿度センサー４０によって測定されたシリカゲル１１６の湿度が、シリカゲル１１６の寿命よりも前であることを示す所定値未満の湿度であるか否かを検出し、検出結果を制御装置４４に出力する。
【００９１】
制御装置４４は、第１の流量の乾燥空気が吸湿剤取込口１３に流入する再生モード（第１のモード）と、第２の流量（＜第１の流量）の乾燥空気が吸湿剤取込口１３に流入する通常モード（第２のモード）と、との切り替えを行うための制御信号を流量調整弁制御装置４６及び回動板駆動装置２６に出力する。なお、後述するように、通常モードでは乾燥空気を流入しないようにしてもよい。制御信号は、シリカゲル１１６の湿度が、所定値未満であることを示す湿度検出装置４２の出力の場合、例えばローレベル（以下「Ｌ」とする）となり、シリカゲル１１６の湿度が、所定値に達したことを示す湿度検出装置４２の出力の場合、例えばハイレベル（以下「Ｈ」とする）となる。
【００９２】
空気案内板２２は、図１０に示すようにｃ１を中心とする、例えば円盤形状の板であり、収納容器１１４の面Ｂよりも−ｚ側に固設されている。また、空気案内板２２には、例えばｃ１を中心とする同心円上に開口２２ａ（第２の空気流出入口）と、開口２２ｂ（乾燥空気流出口）とが設けられている。
【００９３】
回動板２４は、空気案内板２２の＋ｚ側と当接して設けられた、空気案内板２２のｃ１上の軸ｃ２を中心とする、例えば円盤形状の板であり、空気案内板２２に対し、軸ｃ２を中心として回動可能となっている。また、回動板２４には、回動により空気案内板２２の開口２２ａ、２２ｂとそれぞれ重なり合う位置に開口２４ａが設けられている。
【００９４】
回動板駆動装置２６は、回動版２４を定められた位置に回動するための、例えばステッピングモータ（不図示）を有しており、制御装置４４から出力される制御信号に応じて、回動板２４を回動する。例えば制御信号が「Ｌ」の場合は、回動板２４の開口２４ａを、空気案内板２２の開口２２ａと重なる位置に回動し、制御信号が「Ｈ」の場合は回動板２４の開口２４ａを、空気案内板２２の開口２２ｂと重なる位置に回動する。  
空気案内筒２８は、空気案内板２２の開口２２ａに沿って−ｚ側に設けられている。
【００９５】
油容器３０は、隔離油１２４（防湿液）を収容する容器であり、空気案内板２２の開口２２ａの−ｚ側に固設されている。また、油容器３０には、空気案内筒２８の下端が浸かる程度に隔離油１２４が充填されている。
【００９６】
流量調整弁制御装置４６は、制御装置４４から出力される制御信号に応じて、流量調整弁２１６の開閉状態を制御する。例えば、流量調整弁制御装置４６は、配管２２０に流れる乾燥空気を、制御信号が「Ｈ」の場合には、第１の流量（例えば４０リットル／分とする）とするべく流量調整弁２１６を調整し、制御信号が「Ｌ」の場合には、第１の流量よりも少ない第２の流量（例えば０．１リットル／分とする）とするべく流量調整弁２１６を調整する。このように、制御信号が「Ｌ」の期間に、第２の流量の乾燥空気を流入することで、シリカゲル１１６の劣化を遅らせることができる。
【００９７】
なお、制御信号が「Ｌ」の場合、乾燥空気を流入しないように流量調整弁２１６を調整するようにしてもよい。この場合、従来と同様の流路で空気の流出入が行われることになる。よって、制御信号が「Ｌ」の期間に乾燥空気を流入しないので、経済的に吸湿を行うことができる。
【００９８】
以下、吸湿呼吸器２０の動作について説明する。
【００９９】
≪通常モード≫
シリカゲル１１６の湿度が、所定値未満の場合、湿度検出装置４２検出結果に基づき制御装置４４は「Ｌ」の制御信号を出力する。流量調節弁制御装置４６は「Ｌ」の制御信号によって配管２２０に流れる乾燥空気の流量を０．１リットル／分とするべく流量調整弁２１６を調整する。また、回動板駆動装置２６は、「Ｌ」の制御信号によって、図１１（ａ）に示すように、回動板２４の開口２４ａと空気案内板２２の開口２２ａとが重なり合う位置に回動板２４を回動する。
【０１００】
この通常モードでは、配管２２０から収納容器１１４に流入される乾燥空気のうち、空気流出入口１１１から流出されなかった分は、空気孔１１７、回動板２４の開口２４ａ、空気案内板２２の開口２２ａ、空気案内筒２８、隔離油１２４、通気口１２８を介して外部に流出されることになる。
【０１０１】
≪再生モードの場合≫
シリカゲル１１６の湿度が、所定値に達すると、湿度検出装置４２の検出結果に基づき制御装置４４は「Ｌ」から「Ｈ」に切り替える。流量調節弁制御装置４６は「Ｈ」の制御信号によって配管２２０に流れる乾燥空気の流量を４０リットル／分とするべく流量調整弁２１６を調整する。また、回動板駆動装置２６は、「Ｈ」の制御信号を受信すると、図１１（ｂ）に示すように、図１１（ａ）の状態から回動板２４の開口２４ａと空気案内板２２の開口２２ｂとが重なり合う位置までａ方向に回動板２４を回動する。
【０１０２】
再生モードでは、配管２２０から収納容器１１４に流入された乾燥空気のうち、空気流出入口１１１から流出されなかった分は、回動板２４の開口２４ａ、空気案内板２２の開口２２ｂを通して外部に流出されることになる。よって、油容器３０に乾燥空気が流入しないことになるので、配管２２０から流入する乾燥空気の流量を通常モードの流量よりも大きくすることができ、シリカゲル１１６の除湿を効果的に行うことができる。
【０１０３】
また、制御装置４４は、例えば、制御信号が「Ｌ」から「Ｈ」に変化してから、予め設定された時間を計測するタイマ（不図示）を有している。予め設定された時間とは、例えば４０リットル／分の流量の乾燥空気でシリカゲル１１６を再生するのに要する時間である。そして、制御信号の「Ｌ」から「Ｈ」に変化してから、タイマによって前記予め設定された時間が計測されると、制御装置４４は、制御信号を「Ｈ」から「Ｌ」に切り替える。
【０１０４】
「Ｌ」の制御信号によって、回動板駆動装置２６は、図１１（ｂ）から図１１（ａ）の位置まで、回動板２４をｂ方向に回動し、流量調整弁制御装置４６は、配管２２０に流れる乾燥空気を０．１リットル／分とするべく流量調整弁２１６を調整する。このようにして、再生モードから通常モードへの切り替えが行われる。
【０１０５】
以上説明したように本発明の吸湿呼吸器２０では、通常モードと再生モードとを切り替えることによって、シリカゲル１１６を収納容器１１４から取り出すことなくシリカゲル１１６の再生を行うことができる。なお、本実施形態ではシリカゲル１１６の湿度に応じて通常モードと再生モードとを自動的に切り替えることとしたが、回動板２４を手動操作で回動させるようにしてもよい。そして、例えば吸湿剤用覗き窓１３４からシリカゲル１１６の状態（色）を目視で確認し、流量調整弁２１６と回動板２４を手動で操作して、通常モードと再生モードを切り替えるようにしてもよい。  
また、吸湿呼吸器２０に図１の仕切版１４を適用すると、さらに吸湿効果を上げることができる。
【０１０６】
以上説明したように、本発明の吸湿呼吸器は、乾燥空気を常時収納容器１１４内に流入しているので、シリカゲル１１６の寿命を延ばすことができ、シリカゲル１１６の交換に要する手間や人手を削減することができる。なお、本実施形態では、吸湿剤としてシリカゲル１１６を用いることとしたが、活性炭や珪藻土などを粒として用いるようにしてもよい。
【０１０７】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【０１０８】
【図１】本発明の第１実施形態に係る吸湿呼吸器の一例を示す断面図である。
【図２】本発明の第１実施形態に係る吸湿呼吸器を用いた全体構成の一例を示す図である。
【図３】本発明の吸湿呼吸器の仕切版を説明するための断面図である。
【図４】本発明の吸湿呼吸器における空気の流路を説明するための図である。
【図５】乾燥空気の発生の原理を説明するための図である。
【図６】シリカゲルの再生に用いる容器の一例を示す図である。
【図７】吸湿呼吸器からシリカゲルの取り出しを説明する図である。
【図８】シリカゲルの再生方法を説明するための図である。
【図９】本発明の第２実施形態に係る吸湿呼吸器の構成を説明するための断面図である。
【図１０】本発明の第２実施形態に係る吸湿呼吸器の内部構成を説明するための斜視図である。
【図１１】本発明の第２実施形態に係る吸湿呼吸器におけるモードの切替を説明するための図である。
【図１２】従来の吸湿呼吸器の構成の一例を説明するための図である。
【図１３】油入変圧器に吸湿呼吸器を取り付けた一例を説明するための図である。
【符号の説明】
【０１０９】
１０、２０、１１０  吸湿呼吸器
１２、１３１、１３３、４０６、４０８、４１２、４２６、４２８、４３２  蓋
１３、１３０  吸湿剤取込口                １４  仕切板
１５、１６、２２ａ、２２ｂ、２４ａ  開口
２２、１２０  空気案内板                  ２４  回動板
２６  回動版駆動装置                      ２８、１２１  空気案内筒
３０、１２２  油容器                      ４０  湿度センサー
４２  湿度検出装置                        ４４  制御装置
１００  変圧器本体                        １０１  絶縁油
１０２  筐体                              １０３、１０８  連結管
１０４、１０６  コンサベータ              １０５  ゴム膜
１０９、１１１  空気流出入口              １１２  配管接続フランジ
１１４  収納容器                          １１６  シリカゲル
１１７、４１４  通気孔                    １２４  隔離油
１２６  油用覗き窓                        １２８  通気口
１３２  吸湿剤取出口                      １３４  吸湿剤用覗き窓
２００  空気圧縮装置                      ２０２  エアフィルタ
２０４  吸気管                            ２０６  空気圧縮機
２０８  吐出管                            ２１０  モータ
２１２  空気タンク                        ２１４  ドレン弁
２１６  流量調整弁                        ２２０、４２０  配管
４００、４１０  容器                      ４０４  テープ
【図１】
2008118039.tif 000003
【図２】
2008118039.tif 000004
【図３】
2008118039.tif 000005
【図４】
2008118039.tif 000006
【図５】
2008118039.tif 000007
【図６】
2008118039.tif 000008
【図７】
2008118039.tif 000009
【図８】
2008118039.tif 000010
【図９】
2008118039.tif 000011
【図１０】
2008118039.tif 000012
【図１１】
2008118039.tif 000013
【図１２】
2008118039.tif 000014
【図１３】
2008118039.tif 000015